(57)【要約】【課題】本発明は、入口側に設けたマグネット板により玉の消磁を行い、消磁後の玉を発射することによって発射距離のバラツキをなくすことを目的とする。【解決手段】本発明によるパチンコ発射装置及び方法は、駆動コイル(5)を有するコイルボビン(4)の入口側に輪状マグネット板(12)を設けて玉(7)の消磁を行い、消磁後の玉(7)を駆動コイル(5)の励磁によって発射する構成と方法である。【選択図】図１
2005118211.tif 000002
【特許請求の範囲】
【請求項１】
一端に開口(2)を有するケース(1)と、前記ケース(1)内に設けられ駆動コイル(5)を有するコイルボビン(4)と、前記開口(2)に設けられ玉(7)を消磁するための輪状マグネット板(12)と、前記駆動コイル(5)を駆動する駆動装置(11)とを備え、前記コイルボビン(4)の軸心に形成された玉発射空隙(6)内に玉(7)が挿入された状態で、前記駆動コイル(5)を前記駆動装置(11)からの駆動信号(10)により駆動することによって前記玉(7)が前記開口(2)から発射するように構成したことを特徴とするパチンコ発射装置。
【請求項２】
前記ケース(1)の底部(1a)と前記コイルボビン(4)のボビン底部(4a)との間には、弾性板(3)が設けられていることを特徴とする請求項１記載のパチンコ発射装置。
【請求項３】
前記玉発射空隙(6)は、テーパ状をなすことを特徴とする請求項１又は２記載のパチンコ発射装置。
【請求項４】
一端に開口(2)を有するケース(1)と、前記ケース(1)内に設けられ駆動コイル(5)を有するコイルボビン(4)と、前記開口(2)に設けられ玉(7)を消磁するための輪状マグネット板(12)と、前記駆動コイル(5)を駆動する駆動装置(11)とを備えたパチンコ発射装置を用い、前記コイルボビン(4)の玉発射空隙(6)内に玉(7)が挿入される際に前記輪状マグネット板(12)を通過することにより前記玉(7)が消磁され、前記玉(7)が前記玉発射空隙(6)内に挿入された状態で前記駆動コイル(5)を駆動することにより前記玉(7)を前記開口(2)から発射することを特徴とするパチンコ発射方法。
【請求項５】
前記ケース(1)の底部(1a)と前記コイルボビン(4)のボビン底部(4a)との間には、弾性板(3)を設け、前記玉(7)を前記弾性板(3)で受けることを特徴とする請求項４記載のパチンコ発射方法。
【請求項６】
前記玉発射空隙(6)は、テーパ状をなすことを特徴とする請求項４又は５記載のパチンコ発射方法。
【発明の詳細な説明】
【技術分野】
【０００１】
本発明は、パチンコ発射装置及び方法に関し、特に、駆動コイルで直接玉を吸引発射する場合、マグネット板を通過して玉を装填することにより、玉を消磁した後に発射することができるようにするための新規な改良に関する。
【背景技術】
【０００２】
現在、パチンコ発射機においては、回転型ソレノイド及びモータ等により鎚を加速させ、この鎚で鋼球に衝撃を与えて球の発射を行う構成が主流で、例えば、特許文献１及び特許文献２に開示されている。
前述のパチンコ発射機は、構造が複雑で、かつ、ソレノイド又はモータ等のアクチュエータを必要とするため、生産性及びコストにおいて問題が多く、現在、一部において、特許文献３及び特許文献４に示されるように、鋼球に磁界を印加し、磁力によって鋼球を吸引・加速する方式も考案されて実用化の動きが出ている。
【０００３】
【特許文献１】特開２０００−１５７６６６号公報
【特許文献２】特開２０００−２７９５８２号公報
【特許文献３】実開平１−１７６４７７号公報
【特許文献４】実開昭５０−４１６８８号公報
【発明の開示】
【発明が解決しようとする課題】
【０００４】
従来のパチンコ発射機は、以上のように構成されていたため、次のような課題が存在していた。
すなわち、従来構成のうち、磁力によって鋼球を吸引・加速する場合、わずかなストロークを用いて発射させるために、鋼球からなる玉が循環供給される間に、磁化されている場合があり、この場合には、磁気回路の関係で発射力に悪影響が及ぶことがあり、発射力、すなわち、玉の飛距離等にバラツキの発生することもあった。
【０００５】
本発明は、以上のような課題を解決するためになされたもので、特に、駆動コイルで直接玉を吸引発射する場合、マグネット板を通過して玉を装填することにより、玉を消磁した後に発射することができるようにしたパチンコ発射装置及び方法を提供することを目的とする。
【課題を解決するための手段】
【０００６】
本発明によるパチンコ発射装置は、一端に開口を有するケースと、前記ケース内に設けられ駆動コイルを有するコイルボビンと、前記開口に設けられ玉を消磁するための輪状マグネット板と、前記駆動コイルを駆動する駆動装置とを備え、前記コイルボビンの軸心に形成された玉発射空隙内に玉が挿入された状態で、前記駆動コイルを前記駆動装置からの駆動信号により駆動することによって前記玉が前記開口から発射するようにした構成であり、また、前記ケースの底部と前記コイルボビンのボビン底部との間には、弾性板が設けられている構成であり、また、前記玉発射空隙は、テーパ状をなす構成であり、また、本発明によるパチンコ発射方法は、一端に開口を有するケースと、前記ケース内に設けられ駆動コイルを有するコイルボビンと、前記開口に設けられ玉を消磁するための輪状マグネット板と、前記駆動コイルを駆動する駆動装置とを備えたパチンコ発射装置を用い、前記コイルボビンの玉発射空隙内に玉が挿入される際に前記輪状マグネット板を通過することにより前記玉が消磁され、前記玉が前記玉発射空隙内に挿入された状態で前記駆動コイルを駆動することにより前記玉を前記開口から発射する方法であり、また、前記ケースの底部と前記コイルボビンのボビン底部との間には、弾性板を設け、前記玉を前記弾性板で受ける方法であり、また、前記玉発射空隙は、テーパ状をなす方法である。
【発明の効果】
【０００７】
本発明によるパチンコ発射装置及び方法は、以上のように構成されているため、次のような効果を得ることができる。
すなわち、ケースの開口側に輪状マグネット板が設けられているため、玉を玉発射空隙内に装填する場合に、前以て玉の磁気が消磁された後に装填され、常に設計値通りの玉の発射状態が得られる。
また、玉発射空隙の底部側に弾性板が設けられているため、玉装填時の振動及び音の発生を抑え、テーパ状の玉発射空隙によって確実な発射が得られる。
【発明を実施するための最良の形態】
【０００８】
本発明は、玉発射空隙の入口側に輪状マグネット板を設け、玉発射空隙に装填する前の玉の消磁を行い、玉の発射距離等のバラツキをなくすことができる。
【実施例】
【０００９】
以下、図面と共に本発明によるパチンコ発射装置及び方法の好適な実施の形態について説明する。
図１において、符号１で示されるものは全体形状が箱形をなし上部に開口２を有するケースであり、このケース１内には、その底部１ａ側に設けたゴム板等の弾性板３を介して筒状又は非筒状のコイルボビン４が設けられている。従って、この弾性板３は前記底部１ａと、コイルボビン４のボビン底部４ａとの間に位置している。
【００１０】
前記コイルボビン４の外周には、駆動コイル５が設けられ、このコイルボビン４の軸心位置には所定のストロークを有すると共に、孔状又は一部開放された状態の玉発射空隙６が形成されている。
前記玉発射空隙６は、前記底部１ａ側から前記開口２側へ向けて末広がり状のテーパ状に形成され、玉７が発射しやすいように構成されている。
【００１１】
前記駆動コイル５には、この駆動コイル５を駆動して所定の磁界を発生させるための駆動信号１０を印加する周知の駆動装置１１が接続されている。
さらに、前記ケース１の前記開口２側には、前記開口２とコイルボビン４との間において輪状マグネット板１２（輪状でなく複数個の場合も可）が設けられ、この輪状マグネット板１２から発生する磁界によってこの開口２側から挿入して装填される玉７の磁化状態を解消するための消磁作用を行うことが得られるように構成されている。
【００１２】
次に、動作について述べる。まず、図１の状態で、玉７を開口２を経て玉発射空隙６内に装填する場合、玉７が開口２を通過する際に、輪状マグネット板１２の発生する磁界によって、玉７が磁化されている磁力が消磁される。
【００１３】
前述のように、消磁された玉７は弾性板３に当接して装填が完了し、駆動装置１１からの駆動信号１０が駆動コイル５に印加されることにより、前記コイルボビン４の直径方向に沿って磁界が発生することにより、周知のフレミングの右手の法則によって磁力が発生し、玉７は矢印Ａで示される方向に沿って発射される。
【００１４】
尚、この玉７の発射距離、すなわち、発射状態は、図示しない周知のハンドルを遊戯者が回動させる角度に応じて前記駆動信号１０の大きさが連動して変化し、玉７の飛距離が可変的に、かつ、自在に変えられる。
従って、従来のハンマー式等のパチンコ発射装置と同様に用いることができる。
【産業上の利用可能性】
【００１５】
本発明は、玉を発射するために電磁力のみであるため、小型化が可能で、体内で用いる医療機器等への応用が可能である。
【図面の簡単な説明】
【００１６】
【図１】本発明によるパチンコ発射装置及び方法を示す構成である。
【符号の説明】
【００１７】
１    ケース
１ａ    底部
２    開口
３    弾性板
４    コイルボビン
４ａ    ボビン底部
５    駆動コイル
【図１】
2005118211.tif 000003